(57)【要約】  実社会とインターネット上に設けた仮想社会の双方に携帯電話局を設置し、実際の携帯電話機の番号とこの携帯電話機所持者の分身である仮想人物の所持する仮想携帯電話機の電話番号を関連付ける、又は同一の電話番号を割当てることによりこれらの交換機能を連動させ、実社会と仮想社会の双方にその都度電話機を替えたり、特別な操作をしたりしなくても電話を掛けられ、かつ仮想決済会社の発行する仮想決済カードを利用することができるので、仮想社会での豊かで円滑な経済活動を行うことが可能である。
2008081506.tif 000002
【特許請求の範囲】
【請求項１】
Ａ．
ａ．現実携帯電話機に割り当てた電話番号を記憶する現実電話番号メモリと、
ｂ．該現実電話番号メモリに電話番号が記憶されている前記現実携帯電話機の電話交換を行う現実交換機能と
を有する現実携帯電話局と、
Ｂ．
ａ．インターネット上の仮想社会における仮想携帯電話機に割り当てた仮想電話番号を記憶する仮想電話番号メモリと、
ｂ．前記現実電話番号メモリの記憶内容と前記仮想電話番号メモリの記憶内容を関連付ける関連付け手段と、
ｃ．該関連付け手段により関連付けられた前記現実携帯電話機と前記仮想携帯電話機とを１つの携帯電話機として、その一方又は両方を発呼又は着呼の対象として、前記現実交換機能と連携して電話交換を行う仮想交換機能と
を有する仮想携帯電話局と
を備えることを特徴とする電話会社システム。
【請求項２】
前記仮想携帯電話機は、仮想決済機能を有し、前記仮想電話局は、前記現実電話番号メモリの記憶内容と前記仮想電話番号メモリの記憶内容が前記関連付け手段により関連付けられている場合に前記仮想決済機能を有効とする手段を有することを特徴とする請求項１記載の電話会社システム。
【請求項３】
Ａ．
ａ．現実携帯電話機に割り当てた電話番号を記憶する現実電話番号メモリと、
ｂ．該現実電話番号メモリに電話番号が記憶されている前記現実携帯電話機の電話交換を行う現実交換機能と
を有する現実携帯電話局と、
Ｂ．
ａ．インターネット上の仮想社会における仮想携帯電話機に割り当てた仮想電話番号を記憶する仮想電話番号メモリと、
ｂ．前記仮想携帯電話機に前記現実携帯電話機と同一の電話番号を割り当てる関連付け手段と、
ｃ．該関連付け手段により同一の電話番号が割り当てられた前記現実携帯電話機と前記仮想携帯電話機とを１つの携帯電話機として、その一方又は両方を発呼又は着呼の対象として、前記現実交換機能と連携して電話交換を行う仮想交換機能と
を有する仮想携帯電話局と
を備えることを特徴とする電話会社システム。
【請求項４】
前記仮想携帯電話機は、仮想決済機能を有し、前記仮想電話局は、前記仮想電話番号メモリに記憶されている電話番号と同一の電話番号が前記現実電話番号メモリに同一人の名義で記憶されている場合に前記仮想決済機能を有効とする手段を有することを特徴とする請求項３記載の電話会社システム。
【発明の詳細な説明】
【技術分野】
【０００１】
本発明は、実社会とインターネット上における仮想社会の両方で連携して運営する電話会社システムに関する。
【背景技術】
【０００２】
インターネット上に仮想社会を構築し、これを用いて仮想社会の中に存在する仮想物に仮想価値を付け、仮想価値に現実との相関性を持たせて現実感を与え、仮想価値をベースにクライアントの所有物の交換を可能にして仮想社会での経済活動を支持し、クライアントの会話活動やゲームの参加や経営などの活動が自由に行える仮想社会を運営する技術が知られている（例えば、特許文献１参照。）。
【特許文献１】特開２００２−２５９３１９号公報
【発明の開示】
【発明が解決しようとする課題】
【０００３】
しかし、これらの技術は、仮想社会の活動は仮想社会内の疑似体験に限られており、現実社会との接点はクライアントが前記仮想社会を離れるときに運営会社と取り決めた仮想社会での貨幣である絶対価値仮想物と現実の金銭とを予め定められた交換レートで交換するだけに留まっている。また、仮想社会での貨幣は、クライアントと運営会社との取り決めにより換金で現実社会から導入された総額を超えることができないので経済活動の総量はこの総額で制限されているなど、仮想社会での経済活動は発展しにくい。【０００４】
本発明は、上記問題点に鑑み、現実社会での電話番号と仮想社会での電話番号を関連付けることにより仮想社会での経済活動を円滑に行って経済活動をより発展しやすく、またこの仮想社会での経済活動の結果を現実社会の経済活動とより密接に関連させることにより、現実社会での経済活動をも、より発展させる電話会社システムを提供することを目的とする。
【課題を解決するための手段】
【０００５】
前記目的を達成するため、請求項１に記載した本発明の電話会社システムは、Ａ．ａ．現実携帯電話機に割り当てた電話番号を記憶する現実電話番号メモリと、ｂ．該現実電話番号メモリに電話番号が記憶されている前記現実携帯電話機の電話交換を行う現実交換機能とを有する現実携帯電話局と、Ｂ．ａ．インターネット上の仮想社会における仮想携帯電話機に割り当てた仮想電話番号を記憶する仮想電話番号メモリと、ｂ．前記現実電話番号メモリの記憶内容と前記仮想電話番号メモリの記憶内容を関連付ける関連付け手段と、ｃ．該関連付け手段により関連付けられた前記現実携帯電話機と前記仮想携帯電話機とを１つの携帯電話機として、その一方又は両方を発呼又は着呼の対象として、前記現実交換機能と連携して電話交換を行う仮想交換機能とを有する仮想携帯電話局とを備えることを特徴とする。【０００６】
また、請求項２に記載した本発明の電話会社システムは、前記仮想携帯電話機は、仮想決済機能を有し、前記仮想電話局は、前記現実電話番号メモリの記憶内容と前記仮想電話番号メモリの記憶内容が前記関連付け手段により関連付けられている場合に前記仮想決済機能を有効とする手段を有することを特徴とする。【０００７】
また、請求項３に記載した本発明の電話会社システムは、Ａ．ａ．現実携帯電話機に割り当てた電話番号を記憶する現実電話番号メモリと、ｂ．該現実電話番号メモリに電話番号が記憶されている前記現実携帯電話機の電話交換を行う現実交換機能とを有する現実携帯電話局と、Ｂ．ａ．インターネット上の仮想社会における仮想携帯電話機に割り当てた仮想電話番号を記憶する仮想電話番号メモリと、ｂ．前記仮想携帯電話機に前記現実携帯電話機と同一の電話番号を割り当てる関連付け手段と、ｃ．該関連付け手段により同一の電話番号が割り当てられた前記現実携帯電話機と前記仮想携帯電話機とを１つの携帯電話機として、その一方又は両方を発呼又は着呼の対象として、前記現実交換機能と連携して電話交換を行う仮想交換機能とを有する仮想携帯電話局とを備えることを特徴とする。【０００８】
また、請求項４に記載した本発明の電話会社システムは、前記仮想携帯電話機は、仮想決済機能を有し、前記仮想電話局は、前記仮想電話番号メモリに記憶されている電話番号と同一の電話番号が前記現実電話番号メモリに同一人の名義で記憶されている場合に前記仮想決済機能を有効とする手段を有することを特徴とする。
【発明の効果】
【０００９】
請求項１に記載した本発明の電話会社システムによれば、実際の携帯電話機の番号とこの携帯電話機所持者の分身である仮想人物の所持する仮想携帯電話機の電話番号を関連付けることにより、実社会と仮想社会の双方にその都度電話機を替えたり、特別な操作をしたりしなくても電話を掛けることができるので、仮想社会において一層豊かで円滑な経済活動を行うことができる。【００１０】
また、請求項２に記載した本発明の電話会社システムによれば、実社会と仮想社会の双方にその都度電話機を替えたり、特別な操作をしたりしなくても電話を掛けることができ、かつ必要とする金高を入手するために仮想決済会社の発行する仮想決済カードを利用することができるので、仮想社会においてより一層豊かで円滑な経済活動を行うことができる。【００１１】
また、請求項３に記載した本発明の電話会社システムによれば、実際の携帯電話機の番号とこの携帯電話機所持者の分身である仮想人物の所持する仮想携帯電話機の電話番号を同一の番号とすることができるので、実社会と仮想社会の双方にその都度電話機を替えなくても、簡単な操作によって電話を掛けることができるので、仮想社会において一層豊かで円滑な経済活動を行うことができる。【００１２】
また、請求項４に記載した本発明の電話会社システムによれば、実社会と仮想社会の双方にその都度電話機を替えなくても、簡単な操作によって電話を掛けることができ、かつ必要とする金高を入手するために仮想決済会社の発行する仮想決済カードを利用することができるので、仮想社会においてより一層豊かで円滑な経済活動を行うことができる。
【図面の簡単な説明】
【００１３】
【図１】図１は、本発明の一実施例による電話会社システムの構成を示す図である。
【図２】図２は、電話番号の関連付け、及び決済カードの発行手順を説明するフローチャートである。
【図３】図３は、現実交換機能、仮想交換機能が有するアクションテーブルの例である。
【図４】図４は、現実交換機能、仮想交換機能が有するアクションテーブルの他の例である。
【符号の説明】
【００１４】
１      現実携帯電話局
２      仮想社会運営会社
３      パソコン
４      現実携帯電話機
５      仮想社会
１１    現実電話番号メモリ
１２    関連付けメモリ
１３    現実交換機能
５１    仮想携帯電話局
５２    仮想決済会社
５７    仮想携帯電話機
５８    仮想決済カード
５１１  仮想電話番号メモリ
５１２  関連付けメモリ
５１３  仮想交換機能
【発明を実施するための最良の形態】
【００１５】
以下、添付図面を参照しながら本発明を実施するための最良の形態について詳細に説明する。
【実施例１】
【００１６】
図１は、本発明の一実施例による電話会社システム１００の構造を示す図である。本実施例による電話会社システム１００は、現実携帯電話局１、仮想携帯電話局５１、及び仮想決済会社５２からなる。現実携帯電話局１は、現実電話番号メモリ１１、関連付けメモリ１２、及び現実交換機能１３からなる。現実交換機能１３は、アクションテーブル１３１を有し、現実社会の現実携帯電話機４の電話交換をする。仮想携帯電話局５１は、仮想電話番号メモリ５１１、関連付けメモリ５１２、及び仮想交換機能５１３からなる。仮想交換機能５１３は、アクションテーブル５１３１を有し、仮想社会の仮想携帯電話機５７の電話交換をする。現実社会の人物Ａが所持する現実携帯電話機４は、現実携帯電話局１から現実電話番号ＲＴＡの割当てを受け、この現実電話番号ＲＴＡが現実携帯電話機４に割当てられた現実電話番号メモリ１１に記憶されることにより、現実交換機能１３を介して電話を掛けることができる。関連付けメモリ１２、５１２は後述する。【００１７】
仮想社会運営会社２は、自社のサーバ内に仮想社会５を構築する。人物Ａはパソコン３のインターネット接続を介して仮想社会５にアクセスし、人物Ａの仮想社会５における分身である仮想人物５Ａを仮想社会５内で活動させることができる。仮想人物５Ａは、仮想社会５内の仮想決済会社５２や仮想銀行５３に口座を開設したり、仮想店舗５４で買物をしたり、仮想会社５５を経営したりという仮想的な経済活動を行う。【００１８】
また、仮想人物５Ａが所持する仮想携帯電話機５７は、仮想携帯電話局５１から仮想電話番号ＶＴＡの割当てを受け、この仮想電話番号ＶＴＡが仮想携帯電話機５７に割当てられた仮想電話番号メモリ５１１に記憶されることにより、仮想交換機能５１３を介して仮想社会５内の仮想決済会社５２、仮想銀行５３、仮想店舗５４、仮想会社５５、不図示の別の仮想人物や他の仮想店舗、仮想会社などに電話を掛けることができる。【００１９】
上記の経済活動には仮想社会運営会社２が仮想人物５Ａに与える仮想貨幣５６が使用される。例えば、人物Ａが支払う仮想社会５の月額利用料金に応じて一定の金高が一か月ごとに、また、仮想人物５Ａが仮想社会５で模範的な行動をした場合のボーナスとしてその都度に規定の金高の仮想貨幣５６が与えられる。仮想人物５Ａは仮想貨幣５６を使用して仮想店舗５４で買物をしたり、仮想会社５５の経営をしたり、又は仮想銀行５３に預金したりすることができる。【００２０】
上記で与えられる仮想貨幣５６の金高は、特に仮想人物５Ａが仮想社会５への出現当初は少ないので、仮想人物５Ａの仮想経済活動は不図示の他の仮想人物との会話や無料の仮想イベントへの参加、仮想店舗５４での買物など、小額の限られたものとならざるを得ず、多額の買物や仮想会社５５の経営を拡大するのが困難である。【００２１】
仮想人物５Ａが必要とする金高を入手するために仮想決済会社５２の発行する仮想決済カード５８を利用することができる。仮想決済カード５８は仮想携帯電話機５７に割当てられた仮想電話番号ＶＴＡと実世界の現実携帯電話機４に割当てられた現実電話番号ＲＴＡを関連付けることにより発行される。仮想決済カード５８は、例えば電子マネーカード、デビットカード又はクレジットカードなどである。【００２２】
図２は、現実電話番号ＲＴＡと仮想電話番号ＶＴＡの関連付け、及び仮想決済カードの発行手順を説明するフローチャートである。人物Ａは、パソコン３でインターネットを経由して、又は現実携帯電話機４のインターネット接続手段を介して現実携帯電話局１を経由して仮想社会運営会社に接続し申請を開始する。インターネット接続するための装置としては、これら以外にも、ディジタルテレビ、ＰＤＡ（Personal Digital Assistants）、又はテレビゲーム機などがあり、いずれを使うものでも構わない。【００２３】
申請受理ステップＳ１は、人物Ａが仮想社会５のクライアントであることを確認し、現実電話番号メモリ１１、仮想電話番号メモリ５１１の記憶内容を参照して、人物Ａが現実携帯電話局１に現実電話番号ＲＴＡを割当てられた現実携帯電話機４を保有していること、人物Ａの分身である仮想人物５Ａが仮想社会５の仮想携帯電話局５１に仮想電話番号ＶＴＡを割当てられた仮想携帯電話機５７を保有していることを確認して申請を受理する。【００２４】
審査ステップＳ２は、人物Ａが下記の条件(１)〜(３)に合意することを確認する。
(１)現実電話番号ＲＴＡと仮想電話番号ＶＴＡを関連付けること。
(２)仮想決済会社５２が発行する仮想決済カード５８を仮想人物５Ａが保有して仮想社会５での経済活動に使用すること。
(３)仮想人物５Ａが仮想決済カード５８を使用して消費する金高の担保として、実世界の人物Ａは現実携帯電話局１の請求に応じて所定の金額を支払うこと。ここで、この所定の金額とは、仮想決済カード５８の消費金高に実世界での貨幣価値と仮想貨幣５６の貨幣価値の予め定めた交換レートを乗じ、これに必要に応じて予め定めた手数料を加えたものである。【００２５】
合格判断ステップＳ３は、審査ステップＳ２で人物Ａが条件(１)〜(３)のすべてに合意している場合はＹＥＳ側を選択し、電話番号関連付けステップＳ５で関連付けメモリ１２、５１２にこの旨を記憶する。【００２６】
仮想決済カード発行ステップＳ６は、仮想決済会社５２が仮想携帯電話機５７内部に仮想決済カード５８を発行する。【００２７】
合格回答ステップＳ７は上記手順が成功したことを人物Ａに通知して図２の全手順を終了する。【００２８】
図２に示した手順で、人物Ａが条件(１)にだけ合意する場合は、現実電話番号ＲＴＡと仮想電話番号ＶＴＡの関連付けだけが行われ、仮想決済カード５８は発行されない。人物Ａが条件(１)〜(３)のすべてに合意する場合は、現実電話番号ＲＴＡと仮想電話番号ＶＴＡの関連付けがされ、かつ仮想決済カード５８が発行される。人物Ａが上記の条件(１)に合意しない場合は、合格判断ステップＳ３は合格ＮＯ側を選択し、不合格回答ステップＳ４により図２に示した手順を終了する。【００２９】
図３及び図４は、現実交換機能、仮想交換機能が有するアクションテーブルの例である。まず、現実携帯電話機４に割当てられた現実電話番号ＲＴＡと仮想携帯電話機５７に割当てられた仮想電話番号ＶＴＡはそれぞれ異なる独自の数字である場合について図３を用いて説明する。図３は、現実交換機能１３、仮想交換機能５１３が有するアクションテーブル１３１、５１３１の内容を説明する図であり、人物Ａ又は仮想人物５Ａが、図示せぬ人物Ｂ又はその分身である仮想人物５Ｂに電話をかける例を示している。アクションテーブル１３１、５１３１には図３の内容がそのまますべて、又は例えばアクションテーブル１３１にはケース番号２０１〜２０３、アクションテーブル５１３１にはケース番号２０４〜２０６というようにそれぞれが必要とする部分だけが内蔵される。人物Ｂは現実携帯電話局１から割当てられた現実電話番号ＲＴＢを、仮想人物５Ｂは仮想携帯電話局５１から割当てられた仮想電話番号ＶＴＢを所持しているとする。【００３０】
図３において、ケース番号２０１は人物Ａが人物Ｂに電話を掛けるケースであり、現実交換機能１３は発呼側である人物Ａが現実電話番号ＲＴＢに掛ける操作を検出し、現実電話番号ＲＴＢを呼び出す。【００３１】
ケース番号２０２は人物Ａが仮想人物５Ｂに電話を掛けるケースであり、現実交換機能１３は発呼側である人物Ａが仮想電話番号ＶＴＢに掛ける操作を検出し、仮想携帯電話局５１の仮想交換機能５１３を介して仮想電話番号ＶＴＢを呼び出す。【００３２】
ケース番号２０３は、人物Ａが人物Ｂ及び仮想人物５Ｂの両方に同時に電話を掛けるケースであり、現実交換機能１３は発呼側である人物Ａが現実電話番号ＲＴＢに掛ける操作を検出して現実電話番号ＲＴＢを呼び出すと共に、関連付けメモリ１２、５１２の記憶内容を参照することにより、現実電話番号ＲＴＢが仮想電話番号ＶＴＢと関連付けられていることを検知し、仮想携帯電話局５１の仮想交換機能５１３を介して仮想電話番号ＶＴＢを呼び出す。現実交換機能１３及び仮想交換機能５１３は、現実電話番号ＲＴＢ及び仮想電話番号ＶＴＢの着呼応答を監視して速く着呼応答したものに接続し、他方への呼び出しを中止する。【００３３】
上記説明において、ケース番号２０３での発呼側である人物Ａが現実電話番号ＲＴＢに掛ける操作は、ケース番号２０１での発呼側である人物Ａが現実電話番号ＲＴＢに掛ける操作と全く同一であるので、現実交換機能１３ではこの操作がケース番号２０１のものであるかケース番号２０３のものであるかの区別がつかない。そこで、人物Ａが現実電話番号ＲＴＢに掛ける操作を検出した場合、現実交換機能１３の処理動作を(ａ)ケース番号２０１を無視し、常にケース番号２０３とする、(ｂ)ケース番号２０３を無視し、常にケース番号２０１とする、のうちの一つを人物Ｂが、関連付けメモリ１２、５１２に不図示の手段により選択設定して記憶させておき、現実交換機能１３はこの記憶内容に沿った処理動作を行うようにする。現実電話番号ＲＴＢ又は仮想電話番号ＶＴＢのどちらかが話中の場合、現実交換機能１３は現実携帯電話機４に話中応答（相手電話機が話中であることを示す信号）を返す。【００３４】
ケース番号２０４は仮想人物５Ａが人物Ｂに電話を掛けるケースであり、仮想交換機能５１３は発呼側である仮想人物５Ａが現実電話番号ＲＴＢに掛ける操作を検出し、現実携帯電話局１の現実交換機能１３を介して現実電話番号ＲＴＢを呼び出す。【００３５】
ケース番号２０５は仮想人物５Ａが仮想人物５Ｂに電話を掛けるケースであり、仮想交換機能５１３は発呼側である仮想人物５Ａが仮想電話番号ＶＴＢに掛ける操作を検出し、仮想電話番号ＶＴＢを呼び出す。【００３６】
ケース番号２０６は、仮想人物５Ａが人物Ｂ及び仮想人物５Ｂの両方同時に電話を掛けるケースであり、仮想交換機能５１３は発呼側である仮想人物５Ａが現実電話番号ＲＴＢに掛ける操作を検出し、現実交換機能１３を介して現実電話番号ＲＴＢを呼び出すと共に、関連付けメモリ１２、５１２の記憶内容を参照することにより、現実電話番号ＲＴＢが仮想電話番号ＶＴＢと関連付けられていることを検知し、仮想電話番号ＶＴＢを呼び出す。現実交換機能１３及び仮想交換機能５１３は、仮想電話番号ＶＴＢ及び現実電話番号ＲＴＢの着呼応答のうち、速く着呼応答したものに接続し、他方への呼び出しを中止する。【００３７】
上記説明において、このケース番号２０６での発呼側である仮想人物５Ａが現実電話番号ＲＴＢに掛ける操作は、ケース番号２０４での発呼側である仮想人物５Ａが現実電話番号ＲＴＢに掛ける操作と全く同一であるので、仮想交換機能５１３はこの操作がケース番号２０４のものであるかケース番号２０６のものであるかの区別がつかない。したがって、仮想人物５Ａが現実電話番号ＲＴＢに掛ける操作を検出した場合、仮想交換機能５１３の処理動作を(ｃ)ケース番号２０４を無視し、常にケース番号２０６とする、(ｄ)ケース番号２０６を無視し、常にケース番号２０４とする、のうちの一つを人物Ｂ又は仮想人物５Ｂが関連付けメモリ１２、５１２に不図示の手段により設定記憶させておき、仮想交換機能５１３はこの記憶内容に沿った処理を行うようにする。また、仮想人物５Ａが現実電話番号ＲＴＢに掛ける操作で、現実電話番号ＲＴＢ又は仮想電話番号ＶＴＢのどちらかが話中の場合、仮想交換機能５１３は仮想携帯電話機５７に話中応答を返す。【００３８】
上記したように、現実電話番号と仮想電話番号を関連付けることにより実社会と仮想社会の双方にその都度電話機を替えたり特別な操作をしなくても電話を掛けることができ、また必要とする金高を入手するために仮想決済会社５２の発行する仮想決済カード５８を利用することができるので、仮想社会５で一層豊かで円滑な経済活動を行うことができる。【００３９】
次に、図４を用いて現実携帯電話機４に割当てられた現実電話番号ＲＴＡを仮想携帯電話機５７にも割当て、仮想電話番号ＶＴＡを現実電話番号ＲＴＡと同一の数字とする場合について説明する。図４は、現実交換機能１３、仮想交換機能５１３が有するアクションテーブル１３１、５１３１の内容を説明する図であり、人物Ａ又は仮想人物５Ａが、図示せぬ人物Ｂ又はその分身である仮想人物５Ｂに電話をかける場合を示している。この場合、現実電話番号メモリ１１の記憶内容と仮想電話番号メモリ５１１の記憶内容が同一名義人について同一の数字となるので、交換機能１３、５１３は、図４に示すアクションテーブル１３１、５１３１に従って電話交換を行う。【００４０】
図４で、ケース番号３０１は人物Ａが人物Ｂに電話を掛けるケースであり、現実交換機能１３は発呼側である人物Ａが現実電話番号ＲＴＢに掛ける操作を検出し、現実電話番号ＲＴＢを呼び出す。【００４１】
ケース番号３０２は人物Ａが仮想人物５Ｂに電話を掛けるケースである。この場合、仮想電話番号ＶＴＢと現実電話番号ＲＴＢは同一の数字なので、現実交換機能１３がケース番号３０２をケース番号３０１と区別できるように、人物Ａは現実電話番号ＲＴＢの前に数字Ｐ１を付加してダイヤルする操作を行う。図４中に数字Ｐ１＋番号ＲＴＢに掛けると表示したこの操作に応じて、現実交換機能１３は仮想交換機能５１３を介して仮想電話番号ＶＴＢを呼び出す。【００４２】
ケース番号３０３は、人物Ａが人物Ｂ及び仮想人物５Ｂの両方に同時に電話を掛けるケースであり、現実交換機能１３は発呼側である人物Ａが現実電話番号ＲＴＢに掛ける操作を検出して現実電話番号ＲＴＢを呼び出すと共に、関連付けメモリ１２、５１２の記憶内容を参照することにより、現実電話番号ＲＴＢが仮想電話番号ＶＴＢと関連付けられていることを検知し、仮想携帯電話局５１の仮想交換機能５１３を介して仮想電話番号ＶＴＢを呼び出す。現実交換機能１３及び仮想交換機能５１３は、現実電話番号ＲＴＢ及び仮想電話番号ＶＴＢの着呼応答を監視して速く着呼応答したものに接続し、他方への呼び出しを中止する。【００４３】
上記説明において、ケース番号３０３での発呼側である人物Ａが現実電話番号ＲＴＢに掛ける操作は、ケース番号３０１での発呼側である人物Ａが現実電話番号ＲＴＢに掛ける操作と全く同一であるので、現実交換機能１３ではこの操作がケース番号３０１のものであるかケース番号３０３のものであるかの区別がつかない。そこで、人物Ａが現実電話番号ＲＴＢに掛ける操作を検出した場合、現実交換機能１３の処理動作を(ｅ)ケース番号３０１を無視し、常にケース番号３０３とする、(ｆ)ケース番号３０３を無視し、常にケース番号３０１とする、のうちの一つを人物Ｂが、関連付けメモリ１２及び５１２に不図示の手段により選択設定して記憶させておき、現実交換機能１３はこの記憶内容に沿った処理動作を行うようにする。現実電話番号ＲＴＢ又は仮想電話番号ＶＴＢのどちらかが話中の場合、現実交換機能１３は現実携帯電話機４に話中応答を返す。【００４４】
ケース番号３０４は仮想人物５Ａが人物Ｂに電話を掛けるケースである。この場合、仮想電話番号ＶＴＢと現実電話番号ＲＴＢは同一の数字なので、仮想交換機能５１３がケース番号３０４を後述のケース番号３０５とを区別できるように、人物Ａはダイヤルする操作を現実電話番号ＲＴＢの前に呼び出す相手が実社会に居ることを表す数字Ｐ２を付加して行う。図４中に数字Ｐ２＋番号ＲＴＢに掛けると表示したこの操作に応じて、仮想交換機能５１３は現実交換機能１３を介して現実電話番号ＲＴＢを呼び出す。【００４５】
ケース番号３０５は仮想人物５Ａが仮想人物５Ｂに電話を掛けるケースであり、仮想交換機能５１３は発呼側である仮想人物５Ａが仮想電話番号ＶＴＢに掛ける操作を検出し、仮想電話番号ＶＴＢを呼び出す。仮想電話番号ＶＴＢと現実電話番号ＲＴＢは同じ数字なので、図４中には操作者の便宜を考慮してこの発呼側の操作を現実電話番号ＲＴＢに掛けると表示してある。【００４６】
ケース番号３０６は、仮想人物５Ａが人物Ｂ及び仮想人物５Ｂの両方同時に電話を掛けるケースであり、仮想交換機能５１３は発呼側である仮想人物５Ａが仮想電話番号ＶＴＢに掛ける操作を検出し、仮想携帯電話局５１の仮想交換機能５１３を介して仮想電話番号ＶＴＢを呼び出すと共に、発呼側の操作により仮想電話番号ＶＴＢの前に呼び出す相手が実社会に居ることを表す数字Ｐ２が付加されていることから電話番号関連付けメモリ５１２の記憶内容を参照し、現実電話番号ＲＴＢが仮想電話番号ＶＴＢと関連付けられていることを検知して現実交換機能１３を介して現実電話番号ＲＴＢを呼び出す。現実交換機能１３及び仮想交換機能５１３は、仮想電話番号ＶＴＢ及び現実電話番号ＲＴＢの着呼応答のうち、速く着呼応答したものに接続し、他方への呼び出しを中止する。【００４７】
上記説明において、このケース番号３０６での発呼側である仮想人物５Ａが仮想電話番号ＶＴＢに掛ける数字Ｐ２＋現実電話番号ＲＴＢに掛ける操作は、ケース番号３０４での発呼側である仮想人物５Ａが現実電話番号ＲＴＢに掛ける操作と全く同一であるので、仮想交換機能５１３はこの操作がケース番号３０４のものであるかケース番号３０６のものであるかの区別がつかない。したがって、仮想人物５Ａが現実電話番号ＲＴＢに掛ける操作を検出した場合、仮想交換機能５１３の処理動作を(ｇ)ケース番号３０４を無視し、常にケース番号３０６とする、(ｈ)ケース番号３０６を無視し、常にケース番号３０４とする、のうちの一つを人物Ｂ、又は仮想人物５Ｂが関連付けメモリ１２、５１２に不図示の手段により設定記憶させておき、仮想交換機能５１３はこの記憶内容に沿った処理を行うようにする。また、仮想人物５Ａが現実電話番号ＲＴＢに掛ける操作で、現実電話番号ＲＴＢ又は仮想電話番号ＶＴＢのどちらか片方が話中の場合、仮想交換機能５１３は仮想携帯電話機５７に話中応答を返す。【００４８】
上記したように、現実電話番号と仮想電話番号を同一の数字とすることにより、仮想人物５Ａはその都度電話機を替えたり、複雑な操作をしなくても、必要に応じて数字Ｐ１、Ｐ２を付加するという簡単な操作だけで、実社会と仮想社会のいずれにも同一番号をダイヤルして電話を掛けることができる。また必要とする金高を入手するために仮想決済会社５２の発行する仮想決済カード５８を利用することができるので、仮想社会５でより一層豊かで円滑な経済活動を行うことができる。【００４９】
なお、本発明は上記実施例に限定されるものではない。【００５０】
図４のアクションテーブルを用いた説明で、実電話→仮想電話に掛ける場合に付加する数字をＰ１、仮想電話→実電話に掛ける場合に付加する数字をＰ２としたが、数字Ｐ１と数字Ｐ２は異なる数値でも同じ数値でもよい。また、インターネット上の別の仮想社会が存在してその仮想社会の電話機に電話をする場合には、別の数字Ｐ３を付加することによって仮想社会を区別して電話することができる。【００５１】
なお、上記で、仮想社会運営会社２、パソコン３、現実携帯電話機４、人物Ａ、仮想人物５Ａ、仮想携帯電話機５７、仮想銀行５３、仮想店舗５４、仮想会社５５は本発明の一部ではないが、説明の便宜上の都合で図１内に示したものである。【００５２】
本明細書で引用したすべての刊行物、特許及び特許出願をそのまま参考として本明細書にとり入れるものとする。
【図１】
2008081506.tif 000003
【図２】
2008081506.tif 000004
【図３】
2008081506.tif 000005
【図４】
2008081506.tif 000006
【国際調査報告】
2008081506.tif 000007
2008081506.tif 000008